【事件の表示】
　平成１０年特許願第　５４６６２号「無線選択呼出受信機」拒絶査定に対する審判事件［平成１１年　９月１７日出願公開、特開平１１−２５２６０５］について、次のとおり審決する。
【結　論】
　本件審判の請求は、成り立たない。
【理　由】
（手続の経緯、本件発明）
　本願は、平成１０年３月６日に出願したものであって、その請求項１乃至３に係るそれぞれの発明は、その特許請求の範囲に記載されたとおりのものであるところ、その請求項１に係る発明（以下、本件発明という。）は、次のとおりのものである。
「ＲＯＭ書込装置の送受光部との間で光結合に基づく光通信によって所定のデータを書き込まれるＲＯＭを内部に有する無線選択呼出受信機において、
　前記ＲＯＭ書込装置の前記送受光部と前記光通信を行う送受光部と、
　前記送受光部に形成され、前記ＲＯＭ書込装置の前記送受光部に形成された凸部或いは凹部の結合部と結合する相補的な形状を有し、前記ＲＯＭ書込装置の前記結合部と結合したとき、前記送受光部を前記ＲＯＭ書込装置の前記送受光部と光結合する位置に位置決めする凹部或いは凸部の結合部を備えていることを特徴とする無線選択呼出受信機。」
（刊行物記載の発明）
　これに対し、原査定の拒絶の理由に引用された特開平６−２８４０７１号公報（以下、刊行物１という。）には、ページング受信機に関する発明が記載されており、「【０００１】【産業上の利用分野】この発明は、認識コードを受信して、この認識コードが受信機自身の記憶している認識コードと一致する場合に報知駆動を行う無線受信機に関する。」、「【０００４】そして、送信者は、この相手先を呼び出す際、認識コードに対応する呼出番号を入力し、送信データ（メッセージ情報）を付加して、呼び出しを行う。」、「【００２９】ページング受信機ＰＲ１は、その本体ケース１の正面上部に、液晶表示パネル２が配され、その下方に、スイッチＳＷ１〜ＳＷ５が配列されている。また、本体ケース１の右側の側面には、赤外発光ダイオード３とフォトトランジスタ４の配設されているインターフェイス部５が設けられ、さらに、該側面上部には、係合凸部６、そして該側面下部には、係合凹部７が形成されている。」、「【００３０】これら係合凸部６と係合凹部７は、同図に点線で示すように、当該実施例のページング受信機ＰＲ１と同一構成のもう一つのページング受信機ＰＲ２の係合凸部６と係合凹部７とにそれぞれ係合し、このとき、２つのページング受信機ＰＲ１とページング受信機ＰＲ２のそれぞれのインターフェイス部５は、密着、密閉されて外光が入らないようになり、両ページング受信機ＰＲ１、ＰＲ２の赤外発光ダイオード３とフォトトランジスタ４は、送信の方向が反対の２組のホトカプラを形成するようになっている。」、「【００３４】また、認識コード送信モードとは、当該ページング受信機ＰＲ１と同一種類の他のページング受信機、例えば、ページング受信機ＰＲ２に、当該ページング受信機ＰＲ１に既に登録されている認識コード及び認識コードに対応する呼出番号を両機のインターフェイス部５を介して転送し、当該他のページング受信機ＰＲ２に認識コード及び呼出番号を登録させる場合のモードであり、認識コード受信モードとは、当該ページング受信機ＰＲ１と同一種類の他のページング受信機、例えば、ページング受信機ＰＲ２から両機のインターフェイス部５を介して転送されてくる認識コード及び認識コードに対応する呼出番号を当該ページング受信機ＰＲ１に登録させる場合のモードである。」、「【００４１】さらに、当該ページング受信機ＰＲ１に登録されている認識コード及び呼出番号を他のページング受信機に転送する場合は、当該ページング受信機ＰＲ１を認識コード送信モードにするとともに、他のページング受信機を前述した認識コード受信モードに設定した後、両機を図１に示すように、両機の係合凸部６と係合凹部７により係合し、両機のインターフェイス部５を対向密着させる。」、「【００４２】然る後、スイッチＳＷ３又はスイッチＳＷ４を操作して、転送対象となる認識コードに対応する呼出番号を液晶表示パネル２に表示せしめる（このとき、前述の呼出番号表示モードの場合と同様にスイッチＳＷ３又はスイッチＳＷ４の操作により登録されている認識コードに対応する呼出番号が、順次、順又は逆順に指定され液晶表示パネル２に表示されていく）。その上でスイッチＳＷ２を操作するが、これにより、転送対象である認識コード及び認識コードに対応する呼出番号が当該他のページング受信機へ転送され、登録される。」、「【００４３】次に、図３により、本実施例の回路構成について説明する。【００４４】同図において、ページング受信機ＰＲ１は、アンテナ１１、受信部１２、デコーダ部１３、ＩＤ−ＲＯＭ１４、ＥＥＰＲＯＭ１５、ドライバ１６、スピーカ１７、ＣＰＵ１８、キー入力部１９、ＲＯＭ２０、ＲＡＭ２１、バッファ２２、表示部２３、インターフェイス部５等により構成される。」、「【００４８】ＩＤ−ＲＯＭ１４には、当該ページング受信機ＰＲ１に個別的に割り当てられている認識コード（フレームやアドレス等）及び認識コードに対応する呼出番号（ページング受信機ＰＲ１を呼び出すときに発呼者が送る番号）が登録されており、また、ＥＥＰＲＯＭ１５は、図４に示すように、上記認識コード受信モードにおいて、同一種類の他のページング受信機から転送されてくる認識コード及び認識コードに対応する呼出番号を複数組記憶する。」と説明されている。
（対比・判断）
　本件発明と上記刊行物１記載の発明とを対比すると、
(i)上記刊行物１記載の発明は、ページング受信機に関するものであり、本件発明が、無線選択呼出受信機であるとする点と一致する。
(ii)上記刊行物１記載の発明において、ページング受信機ＰＲ１及びページング受信機ＰＲ２は、それぞれ赤外発光ダイオード３とフォトトランジスタ４とを備えているところ、ページング受信機ＰＲ１の赤外発光ダイオード３とフォトトランジスタ４は、本件発明のＲＯＭ書込装置の送受光部に相当する。
　また、上記刊行物１記載の発明において、ページング受信機ＰＲ２は、受信機ＰＲ１の赤外発光ダイオード３により送られてくる認識コード等を、フォトトランジスタ４で受信し、その受信した認識コード等をＥＥＰＲＯＭ１５に記憶するようにしているところ、この点は、本件発明が、ＲＯＭ書込装置の送受光部との間で光結合に基づく光通信によって所定のデータを書き込まれるＲＯＭを備えるとする点に相当する。
(ii)上記刊行物１記載の発明において、ページング受信機ＰＲ２は、赤外発光ダイオード３とフォトトランジスタ４とを備え、ページング受信機ＰＲ１の赤外発光ダイオード３により送られてくる認識コード等を、フォトトランジスタ４で受信するようにしているところ、ページング受信機ＰＲ２が、赤外発光ダイオード３とフォトトランジスタ４を備えるとする点は、本件発明が、ＲＯＭ書込装置の送受光部と光通信を行う送受光部を備えるとする点に相当する。
(iii)上記刊行物１記載の発明において、ページング受信機ＰＲ２には、ページング受信機ＰＲ１の係合凸部６及び係合凹部７と係合する係合凹部７及び係合凸部６が形成され、ページング受信機ＰＲ１、ページング受信機ＰＲ２のそれぞれの係合凸部６及び係合凹部７とが係合したとき、２つのページング受信機ＰＲ１とページング受信機ＰＲ２の赤外発光ダイオード３とフォトトランジスタ４は、送信の方向が反対の２組のホトカプラを形成するようになっているところ、これらの点は、本件発明が、ＲＯＭ書込装置の凸部或いは凹部の結合部と結合する相補的な形状を有し、ＲＯＭ書込装置の結合部と結合したとき、送受光部をＲＯＭ書込装置の送受光部と光結合する位置に位置決めする凹部或いは凸部の結合部を備えているとする点に相当する。
  したがって、本件発明と上記刊行物１記載の発明とは、次の点で相違し、その余では一致する。
　無線選択呼出受信機に設けられた送受光部に関し、本件発明においては、その送受光部が凸部あるいは凹部に設けられるとしているのに対し、上記刊行物１記載の発明においてはそのようになっていない点
  しかるに、送受光部を凸部あるいは凹部に設けるとすることは、本件出願前普通に知られたこと（必要ならば、例えば、実開平３−２８６００号（実開平５−７１９２７号）のマイクロフィルムを参照されたい。）にすぎないから、上記刊行物１記載の発明において、赤外発光ダイオード３、フォトトランジスタ４を凸部、凹部の位置に配置するとすることは、当業者が適宜なし得ることにすぎない。
（まとめ）
  したがって、本件発明は、上記刊行物１記載の発明に基づき、周知技術を参酌して、当業者が容易に発明をすることができたものであるから、特許法第２９条第２項の規定により特許を受けることができない。
　
　よって、結論のとおり審決する。